(57)【特許請求の範囲】
【請求項１】
内容物の充填空間を形成する筒体と、この充填空間内にてスライド可能に配置されたピストンと、前記筒体の先端部に配され、ピストンのスライドにて充填空間内の内容物を押圧して排出する注出口とを備えた注出器であって、
前記筒体の充填空間内に、前記筒体の末端部に固定保持される環状体および基部において前記環状体に抜け出し不能且つ回動可能に保持されて前記充填空間内にて回動可能なロッド本体を備えたスクリューロッドと、前記ロッド本体にスライド可能に係合するとともに該ロッド本体の回動に同期して前記ピストンを前記注出口へ向けて押圧するスリーブとを設け、
前記筒体は、該筒体とは別体に、該筒体に着脱可能に設けられ、該筒体の末端部に差し込まれたときに前記ロッド本体と連係して前記ロッド本体を回動させる回転体を有する、ことを特徴とする注出器。
【請求項２】
前記筒体は、その末端部に、前記回転体の差し込みにおいて該回転体の外表面と面一の外表面を形成する段差面を有する、請求項１記載の注出器。
【発明の詳細な説明】
【技術分野】
【０００１】
本発明は、内容物を一回で使い切る際に使用して好適な注出器に関するものであり、内容物の誤った注出あるいは不正な注出を確実に防止しようとするものである。
【背景技術】
【０００２】
比較的粘度が高く流動性のないものを内容物とする化粧品等において使用される一回で使い切るカートリッジタイプの容器が数多く存在しており、通常は、シリンジ本体内に組み込まれたプランジャーに押し込み力を付加して該プランジャーをシリンジ本体内でスライドさせ、内容物をノズルから押し出すタイプの注出器が使用されている。
【０００３】
ところで、この種の注出器にあっては、プランジャーに不用意な力が加わり誤って内容物が注出されてしまったり、該プランジャーが意図的に押し込まれて内容物が注出されてしまう懸念があることから、その解決が試みられているところ、従来の注出器においては部品点数が増加するとともに構造の複雑化が避けられず効率的な製造が困難となるだけでなくサイズの大型化も避けられない状況にあった（例えば特許文献１参照）。
【先行技術文献】
【特許文献】
【０００４】
【特許文献１】実公平６−３９８２７号公報
【発明の概要】
【発明が解決しようとする課題】
【０００５】
本発明の課題は、内容物が誤って注出されたり、不正に注出されることのない構造の簡素化された注出器を提案するところにある。
【課題を解決するための手段】
【０００６】
本発明は、内容物の充填空間を形成する筒体と、この充填空間内にてスライド可能に配置されたピストンと、前記筒体の先端部に配され、ピストンのスライドにて充填空間内の内容物を押圧して排出する注出口とを備えた注出器であって、
前記筒体の充填空間内に、前記筒体の末端部に固定保持される環状体および基部において前記環状体に抜け出し不能且つ回動可能に保持されて前記充填空間内にて回動可能なロッド本体を備えたスクリューロッドと、前記ロッド本体にスライド可能に係合するとともに該ロッド本体の回動に同期して前記ピストンを前記注出口へ向けて押圧するスリーブとを設け、
前記筒体は、該筒体とは別体に、該筒体に着脱可能に設けられ、該筒体の末端部に差し込まれたときに前記ロッド本体と連係して前記ロッド本体を回動させる回転体を有する、ことを特徴とする注出器である。
【０００７】
上記の筒体としては、その末端部に、前記回転体の差し込みにおいて該回転体の外表面と該筒体の外表面が一致するような、面一（つらいち）の外表面を形成する段差面を設けるのが望ましい。
【発明の効果】
【０００８】
回転体を筒体の末端部に差し込んで回動させることにより初めてピストンを動かすようにしたため、誤って内容物が注出されたり、不正に内容物が注出されるようなことはない。
【０００９】
筒体の末端部に回転体を差し込んだのちにおいて該回転体の外表面と面一となる段差面を設けておくことにより注出器そのもの外観がすっきりとするため美観あるいは見栄えが損なわれることがない。回動体は、筒体の末端部において差し込んで使用するものであるためサイズの大型化（長大化）や構造の複雑化を招くこともない。
【図面の簡単な説明】
【００１０】
【図１】本発明にしたがう注出器の実施の形態を示した図である。
【図２】図１に示した注出器の使用状態を示した図である。
【発明を実施するための最良の形態】
【００１１】
以下、図面を参照して本発明をより具体的に説明する。
図１は、本発明にしたがう注出器の実施の形態を示した図である。
【００１２】
図における符号１は、前後にそれぞれ開放端を有し、その内側に内容物の充填空間Ｍを形成する筒体、２は筒体１の充填空間M内にてスライド可能に配置されたピストンである。このピストン２は、筒体１の内周壁部１ａにおいて摺動可能に当接する環状体２ａと、この環状体２ａの天面において一体連結する押圧部２ｂから構成されている。
【００１３】
また、３は、筒体１の先端部の開口端に嵌合保持され、ピストン２によって押圧された内容物を排出する注出口を形成するためのノズルチップである。このノズルチップ３には、ピストン２の押圧部２ｂを入れ込むための凹所３ａが形成されていて、充填空間Ｍ内の内容物を全て排出することができるようになっている。４は、筒体１の充填空間Ｍ内に配置されたスクリューロッドである。スクリューロッド４は、筒体１の軸心Lと同じ軸心L′を有し、外表面にねじ部ｎが形成された細長のロッド本体４ａと、このロッド本体４ａをその基部４ａ1で抜け出し不能、かつ回動可能に保持して筒体１の後端部の開口端に固定保持する環状体４ｂからなっている。ロッド本体４ａとしては筒体（中空体）を適用することが可能であり、基部４ａ1には、下端面において開放され、該環状体４ｂを通して望むことができる例えば十字状の溝部４ａ2が形成されている。
【００１４】
５は、スクリューロッド４のロッド本体４ａと同等の長さを有し該ロッド本体４ａを覆うように配置されたスリーブ（筒状体）である。このスリーブ５の下部側の内側壁にはロッド本体４ａの外表面に形成されたねじ部ｎに係合するねじ部ｎ1が設けられており、先端部はピストン２の環状体２ａの下端凹部に嵌り込んでいる。そして、その下端部の外側には拡径部５ａが設けられ、該拡径部５の外周壁に形成された少なくとも一つの凸部５ｂが筒体１の内周壁部１ａに形成された溝部１ａ1に嵌り込み、筒体１内において回動不能かつ、スライド可能としている。
【００１５】
６は、筒体１の後端側で段差代ｔをもって形成された段差面（図１参照）であり、この段差面６にて筒体１の縮径部６ａを構成している。７は、筒体１とは別途に設けられた回転体である。この回転体７は、筒体１の縮径部６ａに着脱可能に嵌合（アンダーカット嵌合等）し、筒体１の外表面と面一となる外表面を有する周壁７ａと、この周壁７ａの下端に一体連結して筒体１の末端に当接する底壁７ｂと、この底壁７ｂに設けられ、スクリューロッド４の環状体４ｂを貫通して溝部４ａ2に適合する十字状をなす凸部７ｃとから構成されている。回転体７の外表面には、滑り止め効果を高めるためにローレット加工が施されている。
【００１６】
さらに、８は、筒体１の先端部において例えばねじ係合によって着脱可能保持され、ノズルチップ３の開孔を閉塞するキャップである。
【００１７】
上記の構成になる注出器において、空間Ｍ内の内容物を排出するには、まず、図２に示すように、回転体７を縮径部６ａに差し込み、該回転体７の底壁７ｂに設けた凸部７ｃをロッド本体４ａの基部４ａ1に形成した溝部４ａ2に適合させ（図１Ａ−Ａ矢視参照）、キャップ８を取り外したのち該回転体７を回転させる。そうすると、ロッド本体４ａは、回転体７の回転に合わせて回動することとなり、ロッド本体４ａのねじ部ｎに係合するスリーブ５は、筒体１の内周壁部１ａに形成された溝部１ａ1に沿いノズルチップ３側へ向けて直線的にスライドしていき、これによりピストン２が内容物を押圧して充填空間Ｍ内の内容物がノズルチップ３から排出される。
【００１８】
注出器内の内容物を出し切ったのちは、縮径部６ａから回転体７を取り外し、内容物が充填されている次の注出器に取り付ける。
【００１９】
本発明においては、スクリューロッド４の基部４ａ1に十字状の溝部４ａ2を設け、回転体７の底壁７ｂに該溝部４ａ2に適合する十字状の凸部７ｃを設けたものについて説明したが、スクリューロッド４のロッド本体４ａを回動させることができるものであれば溝部、凸部の形状についてはとくに限定されることはない。
【００２０】
スリーブ５の内側に位置するスクリューロッド４は筒体１内で該拡径部５ａとピストン２の部位の２箇所で支持された状態にあり、該スクリューロッド４の起立姿勢は安定的に保持されており、回転体７によってスクリューロッド４はスムーズに回動する。
【産業上の利用可能性】
【００２１】
誤って内容物が注出されたり、不正に内容物が注出されることのない構造の簡素化された注出器が提供できる。
【符号の説明】
【００２２】
１      筒体
１ａ    内周壁部
２      ピストン
２ａ    環状体
２ｂ    押圧部
３      ノズルチップ
４      スクリューロッド
４ａ    ロッド本体
４ｂ    環状体
５      スリーブ
５ａ    拡径部
６      段差面
６ａ    縮径部
７      回転体
７ａ    周壁
７ｂ    底壁
７ｃ    凸部
８      キャップ
Ｍ      充填空間
Ｌ      軸心
Ｌ′    軸心
【図１】
0005611703.tif 000002
【図２】
0005611703.tif 000003